(57)【要約】【課題】光ピックアップ装置をより高精度で移送でき得る移送装置を提供する。【解決手段】光ピックアップ装置をラジアル方向に移送する移送装置は、ステッピングモータ２６、リードスクリュー２８、主軸３０および副軸３２からなる一対のガイド軸、ティースを備えている。主軸３０および副軸３２は、固定体であるピックアップベース２０に対して位置決めされて、取り付けられる。ステッピングモータ２６をピックアップベース２０に取り付けるためのモータ取付板３４には、ピックアップベース２０に位置決めされた主軸３０端部が嵌入される切欠部と、リードスクリュー２８を保持する支持孔と、が一体成形されている。リードスクリュー２８は、このモータ取付板３４により、主軸３０に対する位置が規定される。【選択図】図２
2007035141.tif 000002
【特許請求の範囲】
【請求項１】
光ディスクにレーザ光を照射する光ピックアップ装置を、前記光ディスクの径方向に移送させる光ピックアップ移送装置であって、
表面に螺旋溝が形成され、駆動源からの駆動力を受けて自転するリードスクリューと、
光ピックアップ装置に固着されるとともにリードスクリューの螺旋溝に係合し、当該リードスクリューの自転に応じて光ピックアップ装置とともに移動する移動体と、
光ピックアップ装置の進行方向に対して平行に配置され、光ピックアップ装置を案内するガイド軸と、
ガイド軸に対するリードスクリューの位置を規定する位置決めユニットであって、ガイド軸の一部に接触する接触部と当該接触部に対するリードスクリューの位置を規定する規定部とが一体成形された位置決め部を１以上含む位置決めユニットと、
を備えることを特徴とする光ピックアップ移送装置。
【請求項２】
請求項１に記載の光ピックアップ移送装置であって、
位置決めユニットは、
ガイド軸の一端近傍に接触する接触部と、当該接触部に対するリードスクリューの一端近傍の位置を規定する規定部とが一体成形された第一位置決め部と、
ガイド軸の他端近傍に接触する接触部と、当該接触部に対するリードスクリューの他端近傍の位置を規定する規定部とが一体成形された第二位置決め部と、
を備え、リードスクリューをガイド軸に対して平行に位置決めすることを特徴とする光ピックアップ移送装置。
【請求項３】
請求項１または２に記載の光ピックアップ移送装置であって、
接触部および規定部は、同一平面に形成されることを特徴とする光ピックアップ移送装置。
【請求項４】
請求項１から３のいずれか１項に記載の光ピックアップ移送装置であって、
位置決めユニットは、固定体に対して位置決めされたガイド軸に対するリードスクリューの位置を規定することを特徴とする光ピックアップ移送装置。
【請求項５】
請求項１から３のいずれか１項に記載の光ピックアップ移送装置であって、
接触部は、固定体に対して位置決めされていないガイド軸を保持するガイド軸保持手段であって、
規定部は、接触部に対するリードスクリューの位置を規定するとともに当該リードスクリューを保持するリードスクリュー保持手段であって、
位置決めユニットは、さらに、ガイド軸およびリードスクリューを保持した状態で、ガイド軸の固定体に対する水平位置を調整する位置調整手段を備えることを特徴とする光ピックアップ移送装置。
【請求項６】
請求項１から５のいずれか１項に記載の光ピックアップ移送装置であって、
接触部は、ガイド軸が嵌入でき得る幅の切り欠きであることを特徴とする光ピックアップ移送装置。
【請求項７】
請求項１から６のいずれか１項に記載の光ピックアップ移送装置であって、
リードスクリューは、駆動源であるモータの出力軸に接続されており、
位置決めユニットは、前記モータに固着され、前記モータを固定体に取り付けるモータ取付け金具であることを特徴とする光ピックアップ移送装置。
【発明の詳細な説明】
【技術分野】
【０００１】
本件発明は、光ディスクにレーザ光を照射する光ピックアップ装置を、前記光ディスクの径方向に移送させる光ピックアップ移送装置に関する。
【背景技術】
【０００２】
光ディスク装置は、光ピックアップ装置（以下「光ＰＵ装置」という）で光ディスクにレーザ光を照射してデータの記録・再生を行う。光ディスク装置には、このレーザ光照射の際に、光ＰＵ装置を所望の位置に移送する光ＰＵ移送装置も設けられている。光ＰＵ移送装置は、光ＰＵ装置を、光ディスクの径方向に移送させる装置で、その構成は従来から多数提案されている（例えば、特許文献１など）。
【０００３】
光ＰＵ移送装置としては、表面に螺旋溝が形成されたリードスクリューと、当該リードスクリューに平行に配された真直精度・同芯精度の高いガイド軸と、光ＰＵ装置に固着された移動体と、を備えたものが知られている。移動体は、リードスクリューの螺旋溝に係合されている。モータの駆動によりリードスクリューが回転すると、当該リードスクリューの螺旋溝に係合している移動体および当該移動体に固着されている光ＰＵ装置が移送される。このとき、移動体および光ＰＵ装置は、真直精度・同芯精度の高いガイド軸に沿って移送されるため、高い移送精度を保つことができる。
【０００４】
【特許文献１】特開平１１−２３２６５４号公報
【発明の開示】
【発明が解決しようとする課題】
【０００５】
しかしながら、ガイド軸が高い真直精度・同芯精度を有していたとしても、当該ガイド軸とリードスクリューとの平行精度が低い場合には、移送精度の低下を招く。すなわち、ガイド軸とリードスクリューとの平行精度が低い場合、換言すれば、位置によってガイド軸とリードスクリューとの間隔が変動する場合、光ＰＵ装置に固着された移動体とガイド軸との間隔も変動することになり、移動体と螺旋溝との係合関係を維持できなくなる場合がある。その結果、光ＰＵ装置にリードスクリューからの駆動力を伝達できず、光ＰＵ装置を正確に移動できないという問題が発生する。
【０００６】
もちろん、移動体に弾性体を設け、当該弾性体で多少の間隔変動を吸収することも考えられる。かかる弾性体を設けることにより、移動体とガイド軸との間隔が変動しても、当該間隔変動を弾性体が吸収するので、移動体と螺旋溝との係合状態が維持される。しかしながら、この場合、間隔変動に応じて、弾性体から移動体が受ける付勢力が変動し、移動体の螺旋溝への当接圧力の変動を招く。当接圧力の変動は、リードスクリューを回転駆動させるモータの駆動負荷変動（トルク変動）を招き、場合によっては脱調の原因となる。かかるモータの脱調は当然、光ＰＵ装置の移送精度の低下を招き、結果として、シークエラー等を発生させる。
【０００７】
かかるモータの脱調を防止するためには、当然、ガイド軸およびリードスクリューの位置決め精度を高め、両者の平行性を向上させればよい。しかし、従来の光ＰＵ移送装置では、ガイド軸およびリードスクリューは、それぞれ、全く別個の部材で、ピックアップベースに固定されており、両者の間に多数の部品が介在する構成となっていた。そのため、各部品の持つ微小な誤差が累積されて大きな誤差となりやすく、ガイド軸およびリードスクリューの平行性を向上させることは困難であった。
【０００８】
もちろん、ガイド軸およびリードスクリューを高精度で組み付けることにより、両者の平行精度を向上させることも考えられる。しかし、その場合には、光ディスク装置の製造工程が煩雑となり、また、工数増加に伴うコストアップも招く。
【０００９】
また、ガイド軸を設けず、リードスクリューのみで移動体を案内することも考えられる。しかし、一般にリードスクリューは、螺旋溝の加工の影響により、真直精度・同芯精度を高くすることは困難である。真直精度・同芯精度の低いリードスクリューをガイド軸として利用した場合には、光ＰＵ装置のタンジェンシャル方向の揺動を誘発することとなり、やはり、移送精度低下、ひいては、光ディスク装置の信頼性低下を招く。
【００１０】
そこで、本発明では、光ＰＵ装置の移送精度を向上でき得る光ＰＵ移送装置を提供することを目的とする。他の本発明の目的は、より簡易に製造でき、高い移送精度を発揮する光ＰＵ移送装置を提供することである。
【課題を解決するための手段】
【００１１】
本発明の光ピックアップ移送装置は、光ディスクにレーザ光を照射する光ピックアップ装置を、前記光ディスクの径方向に移送させる光ピックアップ移送装置であって、表面に螺旋溝が形成され、駆動源からの駆動力を受けて自転するリードスクリューと、光ピックアップ装置に固着されるとともにリードスクリューの螺旋溝に係合し、当該リードスクリューの自転に応じて光ピックアップ装置とともに移動する移動体と、光ピックアップ装置の進行方向に対して平行に配置され、光ピックアップ装置を案内するガイド軸と、ガイド軸に対するリードスクリューの位置を規定する位置決めユニットであって、ガイド軸の一部に接触する接触部と当該接触部に対するリードスクリューの位置を規定する規定部とが一体成形された位置決め部を１以上含む位置決めユニットと、を備えることを特徴とする。
【００１２】
好適な態様では、位置決めユニットは、ガイド軸の一端近傍に接触する接触部と、当該接触部に対するリードスクリューの一端近傍の位置を規定する規定部とが一体成形された第一位置決め部と、ガイド軸の他端近傍に接触する接触部と、当該接触部に対するリードスクリューの他端近傍の位置を規定する規定部とが一体成形された第二位置決め部と、を備え、リードスクリューをガイド軸に対して平行に位置決めする。接触部および規定部は、同一平面に形成されることが望ましい。
【００１３】
好適な態様では、位置決めユニットは、固定体に対して位置決めされたガイド軸に対するリードスクリューの位置を規定する。
【００１４】
他の好適な態様では、接触部は、固定体に対して位置決めされていないガイド軸を保持するガイド軸保持手段であって、規定部は、接触部に対するリードスクリューの位置を規定するとともに当該リードスクリューを保持するリードスクリュー保持手段であって、位置決めユニットは、さらに、ガイド軸およびリードスクリューを保持した状態で、ガイド軸の固定体に対する水平位置を調整する位置調整手段を備える。
【００１５】
接触部は、ガイド軸が嵌入でき得る幅の切り欠きであることが望ましい。また、リードスクリューは、駆動源であるモータの出力軸に接続されており、位置決めユニットは、前記モータに固着され、前記モータを固定体に取り付けるモータ取付け金具であることも望ましい。
【発明の効果】
【００１６】
本発明によれば、ガイド軸の一部に接触する接触部と当該接触部に対するリードスクリューの位置を規定する規定部とが一体成形されているため、ガイド軸とリードスクリューとの間に累積誤差が生じることがなく、ガイド軸に対するリードスクリューの位置を簡易に正確に位置決めできる。ガイド軸に対するリードスクリューの位置精度が向上することにより、光ピックアップ装置の移送精度を向上でき得る。また、かかる光ピックアップ移送装置をより簡易に製造でき得る。
【発明を実施するための最良の形態】
【００１７】
以下、本発明の実施形態について図面を参照して説明する。図１は、本発明の第一実施形態である光ディスク装置１０の上面図である。図２は、光ディスク装置１０の要部の底面図である。また、図３は、図２における概略Ａ−Ａ断面図である。
【００１８】
光ディスク装置１０は、本体部１２と、当該本体部１２を収容する収容部１４と、に大別される。本体部１２は、その左右に設けられたレール２４に沿って摺動自在となっており、適宜、収容部１４の内部に収容、または、収容部１４の外部に突出することができる。
【００１９】
本体部１２の略中央には、光ディスクを回転駆動させるスピンドルモータ１６が設けられている。スピンドルモータ１６は、後述するように、スペーサを介して、ピックアップベース２０に取り付けられる。ピックアップベース２０は、板金プレスにより成形された金属薄板部材であり、本体部１２のベース部材として機能する。このピックアップベース２０は、その位置が固定された固定体に相当する。
【００２０】
本体部１２には、また、光ＰＵ装置１８も設けられている。光ＰＵ装置１８は、周知の通り、光ディスクの裏面（データ記録面）に、レーザ光を照射するとともに、その反射光を受光する。この光ＰＵ装置１８によるレーザ光の受発光により、データの記録再生が図られる。光ＰＵ装置１８は、光ディスクの所望の位置を照射するべく、光ディスクの径方向（ラジアル方向）に移動可能となっている。この光ＰＵ装置１８の移動は、ピックアップベース２０の裏面に取り付けられた移送装置により実現されている。
【００２１】
移送装置は、駆動源であるステッピングモータ２６、ステッピングモータ２６の駆動に応じて自転するリードスクリュー２８、主軸３０および副軸３２からなる一対のガイド軸、および、光ＰＵ装置１８に固着されたティース４０を備えている。ステッピングモータ２６は、移送装置の駆動源であり、モータ取付板３４を介してピックアップベース２０に取り付けられている。モータ取付板３４は、板金プレスにより所定形状に形成された金属部材である。このモータ取付板３４は、ステッピングモータ２６をピックアップベースに取り付けるための金具として機能するとともに、主軸３０に対するリードスクリュー２８の相対位置を規制する位置決めユニットとしても機能する。この位置決めユニットとして機能、構成については、後に詳説する。
【００２２】
ステッピングモータ２６の出力軸には、リードスクリュー２８が接続されており、当該モータ２６の駆動に応じて自転する。リードスクリュー２８の表面には、所定ピッチの螺旋溝が形成されている。このリードスクリュー２８は、モータ取付板３４によって、その取り付け位置が規制され、主軸３０と平行になるように配される。
【００２３】
主軸３０は、リードスクリュー２８と光ＰＵ装置１８との間に設けられた軸部材である。この主軸３０は、後述するように、光ＰＵ装置１８に形成されたガイド孔３６に挿通され、光ＰＵ装置１８の移動方向を案内するガイド軸として機能する。したがって、主軸３０は、その軸方向が、光ＰＵ装置１８の移動方向と正確に平行になるように高い精度で位置決めされてピックアップベース２０に取り付けられる。また、主軸３０は、高い同芯精度および真直精度で加工形成されている。
【００２４】
副軸３２は、光ＰＵ装置１８を挟んで主軸の反対側に設けられた軸部材である。この副軸３２は、光ＰＵ装置１８に形成された副軸用係合部３８に係合され、光ＰＵ装置１８の移動方向を案内するガイド軸として機能する。そのため、副軸３２は、高い同心精度および真直精度で加工形成されており、また、その取り付け時には、高精度で位置決めされる。
【００２５】
ティース４０は、光ＰＵ装置１８に固着され、光ＰＵ装置１８とともに移動する移動体である。このティース４０の一端には、リードスクリュー２８の螺旋溝に係合する突起部４２が形成されている。この突起部４２が係合した状態でリードスクリュー２８が自転することにより、ティース４０がラジアル方向に移動する。ティース４０が移動すると、当該ティース４０に固着された光ＰＵ装置１８も主軸３０および副軸３２に沿ってラジアル方向に移動する。
【００２６】
突起部４２の基端には、断面略コ字形状の弾性部４４が設けられている。この略コ字形状部分は、比較的、肉薄に形成されており、他の部分に比べて低剛性となっている。そのため、比較的、小さい負荷で撓む（弾性変形する）ようになっている。当該コ字形状を構成する対向する２辺の間には、コイルスプリング４４ａが設けられている。コイルスプリング４４ａは、弾性部４４、ひいては、弾性部４４の一端に接続された突起部４２をタンジェンシャル方向（リードスクリューの径方向）に付勢する。この付勢力により、突起部４２は、常に、螺旋溝に係合、当接した状態を維持できる。
【００２７】
ここで、突起部４２が螺旋溝に当接すること自体は問題ないが、突起部４２の螺旋溝に対する当接圧がティース４０の移動に伴い変動する場合には、次のような問題を生じる。当接圧の変動は、リードスクリュー２８を自転させるステッピングモータ２６への負荷トルクの変動を招き、場合によっては、ステッピングモータ２６の脱調を招く。ステッピングモータ２６が脱調した場合、当然、光ＰＵ装置１８の移動量を正確に検出できず、結果としてシークエラー等のエラーを発生させる。そして、ひいては、光ディスク装置１０のデータ記録再生品質を低下させる。
【００２８】
突起部４２の螺旋溝に対する当接圧変動の主たる原因は、主軸３０とリードスクリュー２８との平行精度の低さが挙げられる。リードスクリュー２８と主軸３０との平行精度が低い場合、位置に応じて両者の軸間距離ｄが変わることになる。その結果、突起部４２がコイルスプリング４４ａから受ける付勢力が変動し、突起部４２の螺旋溝に対する当接圧が変動するのである。
【００２９】
そこで、本実施形態では、主軸３０に対するリードスクリュー２８の平行精度を向上するために、モータ取付板３４に位置決めユニットとしての機能、構成を付加し、両者の平行精度を向上させている。これについて、図４Ａ〜Ｃを用いて説明する。図４Ａ〜Ｃは、モータ取付板３４による主軸３０およびリードスクリュー２８の位置決めの様子を示した図であり、図４Ａは上面図を、図４Ｂは側面図、図４Ｃは正面図である。なお、図面では、見易さのため、適宜、一部部品の図示を省略している。
【００３０】
モータ取付板３４は、既述の通り、板金プレスにより形成された金属部材であり、リードスクリュー２８の軸方向（ラジアル方向）に延びる長尺部材である。モータ取付板３４の一部は、リードスクリュー２８の軸方向に沿って２段階に折り曲げられており、タンジェンシャル方向外側に延びる段差部５２が形成されている。この段差部５２には、当該モータ取付板３４をピックアップベース２０に螺合する取付ネジが挿通される逃げ孔５２ｂおよび長孔５２ａが形成されている。
【００３１】
モータ取付板３４の内周側端部および外周側端部は、略垂直方向に折り曲げられており、外周側起立部４６ａおよび内周側起立部４６ｂを構成している。外周側起立部４６ａには、リードスクリュー２８の外周側端部を支持する支持孔４８、および、主軸３０の外周側端部が嵌入される切欠部５０が形成されている。切欠部５０は、一方が開口した略Ｕ字形状の切り欠きであり、ガイド軸の一部に接触する接触部として機能する。この切欠部５０の幅は主軸３０の直径に等しく、主軸３０の外周側端部は当該切欠部５０に嵌入される。一方、切欠部５０の高さは、主軸３０の直径よりある程度大きくしている。これは、主軸３０が嵌入される高さを適宜、調整できるようにするためである。支持孔４８は、軸受４９を介してリードスクリュー２８の外周側端部を支持する孔で、軸受４９が嵌合でき得る円形孔である。したがって、この支持孔４８は、切欠部５０（接触部）に対するリードスクリュー２８の位置を規定する規定部として機能する。支持孔４８および切欠部５０は、いずれも、高い精度で加工形成されている。特に、支持孔４８の中心から切欠部５０の中心までの中心間距離Ｄが所定の規定値に合致するように、高精度で加工形成されている。
【００３２】
内周側起立部４６ｂは、外周側起立部４６ａとほぼ同じ形状である。すなわち、高精度で加工形成された、支持孔および切欠部を有している。特に、内周側起立部４６ｂの支持孔と切欠部との中心間距離Ｄは、外周側起立部４６ａの中心化距離Ｄとほぼ同じ値になるように、高精度で加工形成されている。なお、内周側起立部４６ｂの支持孔は、リードスクリュー２８の外周側端部が挿通される円形孔であり、軸受は嵌合されない。この内周側起立部４６ｂは、ステッピングモータ２６の外装に固着される。この外装への固着は、ステッピングモータ２６の出力軸に接続されるとともに内周側起立部４６ｂの支持孔に挿通されたリードスクリュー２８の中心が、支持孔の中心に正確に一致するよう高精度で行われる。
【００３３】
ここで、本実施形態では、支持孔４８でリードスクリュー２８の端部位置を、切欠部５０で主軸３０の端部位置を規制している。そして、支持孔４８および切欠部５０は、単一部材（外周側起立部４６ａまたは内周側起立部４６ｂ）に形成されている。したがって、従来に比べて、容易に、リードスクリュー２８と主軸３０との相対位置精度を向上できる。すなわち、従来では、主軸３０の位置決め部材と、リードスクリュー２８の位置決め部材とは、それぞれ、異なる別部材で構成されており、両者の位置決め部材の間に多数の他部材が介在していた。そのため、介在する他部材の微小な誤差が累積され、リードスクリュー２８と主軸３０との相対位置精度を高くに保つことは困難であった。
【００３４】
一方、本実施形態では、主軸３０の位置決め部材（切欠部５０）と、リードスクリュー２８の位置決め部材（支持孔４８）とを、同一部材（外周側起立部４６ａまたは内周側起立部４６ｂ）に形成している。そのため、両者の位置決め部材の間に、他部材が介在することがなく、累積誤差が生じにくい。その結果、支持孔４８と切欠部５０との中心間距離Ｄの距離精度のみに注意すれば、簡易に、主軸３０およびリードスクリュー２８の相対位置精度を向上できる。その結果、突起部４２による螺旋溝への当接圧が一定となり、ステッピングモータ２６の脱調を防止でき、データの記録再生品質を向上できる。
【００３５】
なお、本実施形態では、支持孔４８および切欠部５０を、同一平面上に形成している。これは、両者の中心間距離Ｄの距離精度を簡易に向上させるためである。すなわち、通常、同一平面内での距離精度は、異なる複数平面間での距離精度より比較的、簡易に高く出来るからである。もちろん、所定の精度を満たすことができるのであれば、支持孔４８および切欠部５０を異なる別平面にそれぞれ形成してもよい。
【００３６】
次に、この光ディスク装置１０の製造において、ピックアップベース２０に各部品を組み付ける際の流れについて図５Ａ〜Ｃを用いて説明する。ピックアップベース２０には、まず、最初に、副軸３２が取り付けられる（図５Ａ）。副軸３２は、ピックアップベース２０の所定の２箇所を折り曲げて形成された２つの副軸用起立部５６により位置決めされる。副軸用起立部５６は、副軸３２の両端位置を規制する位置に設けられており、２つの副軸用起立部５６を結んだ線が光ＰＵ装置の移動方向（ラジアル方向）に平行になるように精度良く加工されている。この２つの副軸用起立部５６に副軸３２の両端が当接することにより副軸３２のタンジェンシャル方向の位置決めがなされる。
【００３７】
具体的には、副軸３２は、その両端が副軸用起立部５６に沿う位置に配されるとともに、その両端にスキュー調整ネジ６０が螺通される。このとき、副軸用起立部５６の反対側には、板バネ５８が設けられており、副軸３２は副軸用起立部５６の方向（タンジェンシャル方向）に付勢される。この付勢力を受けて、副軸３２は副軸用起立部５６に当接し、そのタンジェンシャル方向の位置が規制される。また、副軸３２とピックアップベース２０との間には、当該副軸３２を垂直方向（紙面垂直上方向）に付勢する板バネが設けられている。この垂直方向の付勢力に抗するべく、副軸３２の両端にはスキュー調整ネジ６０が取り付けられている。そして、このスキュー調整ネジ６０の締め込み量を調整することにより、副軸３２の垂直方向の位置が調整される。
【００３８】
副軸３２が取り付けられれば、続いて、スピンドルモータ１６が取り付けられる（図５Ｂ）。スピンドルモータ１６を取り付ける際には、まず、最初にスペーサ６２をピックアップベース２０に取り付ける。スペーサ６２には、複数の軸が突出形成されている。また、ピックアップベース２０には、当該軸が嵌合される位置決用孔が複数形成されている。そして、当該位置決用孔に、スペーサ６２の軸を嵌合することにより、スペーサ６２が所定位置に位置決めされ、取り付けられる。続いて、この位置決めされたスペーサ６２にスピンドルモータ１６を取り付ける。スピンドルモータ１６は、スピンドルモータ１６に形成された３つの取付用穴に、スペーサ６２に突出形成されたスタッドを嵌め込むことにより取り付けられる。位置決用孔、軸、取付用穴、スタッドは、それぞれ、高い位置精度でもって形成されており、これらを互いに嵌合させて取り付けることにより、スピンドルモータを正確に位置決めすることができる。そして、位置決めが出来た後に、螺合によりスピンドルモータ１６がピックアップベース２０に固定される。
【００３９】
次に、主軸３０および光ＰＵ装置１８を取り付ける（図５Ｃ）。主軸３０は、予め、光ＰＵ装置１８の端部に形成されたガイド孔３６に挿通しておく。続いて、光ＰＵ装置１８の他端に形成された副軸用係合部３８を副軸３２に係合させるとともに、主軸３０を正確に位置決めして取り付ける。主軸３０は、ピックアップベース２０の所定の２箇所を折り曲げて形成された２つの主軸用起立部６４、および、スペーサ６２に設けられた軸支孔６６により、その取付け位置が規制される。軸支孔６６は、主軸３０の内周側端部が嵌入される孔であり、当該軸支孔６６に主軸３０が嵌入されることで主軸３０の内周側端部の位置が規制される。２つの主軸用起立部６４は、主軸３０の直径にほぼ等しい間隔を開けて形成されている。そして、この２つの主軸用起立部６４の間隙に主軸３０の外周側端部が嵌入されることで、主軸３０の外周側端部の位置が規制される。軸支孔６６および主軸用起立部６４は高い精度で加工形成されている。具体的には、２つの主軸用起立部６４の間隙中心と、軸支孔６６の中心と、を結んだ線が、光ＰＵ装置の進行方向（ラジアル方向）に対して高い平行精度を充足するように形成されている。そして、この軸支孔６６および主軸用起立部６４により両端位置が規制された主軸３０は、光ＰＵ装置１８の進行方向に対して高い平行精度を有することになる。その結果、光ＰＵ装置１８を、正確な方向に案内することができる。なお、主軸３０の高さ調整は、主軸３０の両端に螺合されたスキュー調整ネジ６８の締め込み量を調整することにより調整される。主軸３０とピックアップベース２０との間には、スキュー調整ネジ６８に挿通されたコイルスプリング（図示せず）が設けられており、主軸３０を垂直方向に付勢している。この付勢力に抗してスキュー調整ネジ６８を締め込むことにより主軸３０の高さを調整できる。
【００４０】
主軸３０が取り付けられれば、続いて、ステッピングモータ２６およびリードスクリュー２８を取り付ける（図２、図４参照）。ステッピングモータ２６の出力軸には、予め、リードスクリュー２８が接続しておく。また、モータ取付板３４をステッピングモータ２６の外装に固着しておく。モータ取付板３４には、既述の通り、その両端を折り曲げて形成された外周側起立部４６ａおよび内周側起立部４６ｂが設けられている。モータ２６の出力軸に接続されたリードスクリュー２８の内周側端部は、内周側起立部４６ｂに形成された支持孔に挿通される。また、リードスクリューの外周側端部は、外周側起立部４６ａに形成された支持孔４８により、軸受４９を介して支持される。この状態で、外周側、内周側起立部４６ａ，４６ｂの切欠部５０に主軸３０の両端を挿入する。既述したとおり、切欠部５０の幅は、主軸３０の直径とほぼ等しく、当該切欠部５０に主軸３０を挿入（嵌入）することにより、主軸３０に対するリードスクリュー２８の相対位置が規制される。その結果、リードスクリュー２８の中心軸は、主軸３０に中心軸に対して高精度で平行になる。
【００４１】
つまり、本実施形態によれば、単一部材（外周側、内周側起立部４６ａ，４６ｂ）に形成された支持孔４８および切欠部５０に、リードスクリュー２８および主軸３０の両端を挿通（嵌合）することにより、簡易に、リードスクリュー２８を主軸３０に対して高精度で平行にすることができる。
【００４２】
リードスクリュー２８が主軸３０に対して平行になった状態で、モータ取付板３４をピックアップベース２０に取り付ける。これは、段差部５２に設けられた逃げ孔５２ｂおよび長孔５２ａに挿通された取付ネジ７０によりなされる。この取り付けに利用される長孔５２ａのラジアル方向幅は、取付ネジ７０の径より僅かに大きい程度あり、モータ取付板３４のラジアル方向位置を規制する。しかし、当該長孔５２ａのタンジェンシャル方向の幅は、取付ネジ７０の径より遥かに大きく、モータ取付板３４のタンジェンシャル方向への移動を許容する。また、逃げ孔は、取付ネジ７０より大きい円形孔であり、モータ取付板３４の多少の移動を許容する。長孔５２ａ、逃げ孔５２ｂをかかる形状とすることで、主軸３０を基準とするリードスクリュー２８の取付位置、ひいては、モータ取付板３４の取付位置が多少変動しても、問題なく、モータ取付板３４をピックアップベース２０に固定できる。
【００４３】
最後に、ティース４０を光ＰＵ装置１８に取り付ける（図３参照）。ティース４０は、その一端に形成された突起部４２がリードスクリュー２８の螺旋溝に係合、当接するように、光ＰＵ装置１８の上面に螺合により固着される。突起部４２が螺旋溝に係合、当接することにより、リードスクリュー２８の回転運動が、突起部４２（ティース）を介して光ＰＵ装置１８に直線運動として伝達できる。
【００４４】
以上の説明から明らかなように、本実施形態によれば、煩雑な位置決め工程を経ることなく、簡易に、光ディスク装置１０を製造できる。特に、リードスクリュー２８の位置、方向を、主軸３０を基準に高い精度で規制することができ、より記録再生品質の高い光ディスク装置１０を得ることができる。
【００４５】
次に、第二実施形態について図面を参照して説明する。図６Ａ〜Ｃは、第二実施形態の光ディスク装置１０の要部拡大図であり、図６Ａは上面図、図６Ｂは側面図、図６Ｃは正面図である。
【００４６】
第二実施形態でも、第一実施形態と同様に、モータ取付板３４の両端に形成した外周側、内周側起立部４６ａ，４６ｂをリードスクリュー２８の位置決めに利用している。ただし、第二実施形態では、この外周側、内周側起立部４６ａ，４６ｂの形態が、第一実施形態と若干異なる。そこで、以下では、この外周側、内周側起立部４６ａ，４６ｂの形態を中心に説明する。
【００４７】
本実施形態でも、モータ取付板３４は板金プレスで成形された長尺部材であり、ステッピングモータ２６の外装に固着されている。このモータ取付板３４の両端は、折り曲げられて、外周側起立部４６ａ、および、内周側起立部４６ｂを構成している。外周側起立部４６ａには、リードスクリュー２８の外周側端部を軸受４９を介して支持する支持孔４８が形成されている。また、内周側起立部４６ｂには、リードスクリュー２８の内周側端部が挿通される支持孔が形成されている。内周側起立部４６ｂは、この当該支持孔の中心とリードスクリュー２８の中心が正確に一致するように高い位置精度でステッピングモータ２６の外装に固着されている。
【００４８】
外周側起立部４６ａ、内周側起立部４６ｂには、さらに、主軸３０の外表面に当接される当接部７２も設けられている。この当接部７２は、外周側、内周側起立部４６ａ，４６ｂの端面に相当する部分である。
【００４９】
支持孔４８および当接部７２は、いずれも、精度良く加工形成されている。特に、支持孔４８の中心から当接部７２までの距離Ｄが、所定の規定値に合致するように項精度で加工形成されている。リードスクリュー２８を位置決めする際には、支持孔４８でリードスクリュー２８を支持した状態で、当接部７２を主軸３０の外表面に当接させる。既述の通り、当接部７２から支持孔４８中心までの距離Ｄは高い精度で担保されている。したがって、当接部７２に主軸３０を当接させれば、当該当接部７２との距離が高精度で担保されている支持孔４８に支持されるリードスクリュー２８を主軸３０に対して高精度で平行にすることができる。その結果、ステッピングモータの脱調等が防止され、データの記録再生品質を向上できる。
【００５０】
次に、本実施形態での部品組み付けの流れについて簡単に説明する。副軸３２やスピンドルモータ１６、主軸３０等の取り付けは、第一実施形態と同様である。すなわち、最初に、ピックアップベース２０に副軸３２を取り付け、続いて、スピンドルモータ１６をスペーサ６２を介してピックアップベース２０に取り付け、次に、主軸３０および光ＰＵ装置１８を取り付ける。主軸３０は、スペーサ６２に形成された軸支孔６６、および、ピックアップベース２０を折り曲げて形成した主軸用起立部６４によって、正確に位置決めした上で取り付けられる（図５Ａ〜Ｃ参照）。
【００５１】
主軸３０が取り付けられれば、続いて、ステッピングモータ２６およびリードスクリュー２８を取り付ける。ステッピングモータ２６の外装には、予め、モータ取付板３４が固着されている。また、リードスクリュー２８の外周側端部は、外周側起立部４６ａに形成された支持孔４８に、軸受４９を介して支持させておく。
【００５２】
この状態で、モータ取付板３４の外周側、内周側起立部４６ａ，４６ｂの端面（当接部７２）が主軸３０の外表面に当接するようにリードスクリュー２８等をピックアップベース２０上に配置する。外周側の当接部７２および内周側の当接部７２の両方が主軸に当接すれば、その位置でモータ取付板３４をピックアップベース２０に螺合し、リードスクリュー２８の位置を固定する。そして、最後に、ティース４０を、光ＰＵ装置１８の上面に固着すれば、終了となる。
【００５３】
以上の説明で明らかなように、本実施形態でも、第一実施形態と同様に、リードスクリュー２８を主軸３０に対して高精度で平行になるように、簡易に位置決めできる。その結果、製造工程を簡略化でき、製造コストを低減できる。また、データの再生記録品質も向上できる。
【００５４】
次に、第三実施形態について説明する。図７は、第三実施形態である光ディスク装置１０の底面図である。また、図８Ａ〜Ｃは、その要部の拡大図であり、図８Ａは上面図、図８Ｂは側面図、図８Ｃは正面図である。この実施形態でも、モータ取付板３４の形状を利用して主軸３０に対するリードスクリュー２８の位置決めを行っている。
【００５５】
本実施形態のモータ取付板３４は、板金プレスにより成形された長尺の金属部材である。モータ取付板３４の両端は、折り曲げられ、リードスクリュー２８の位置を規制する外周側起立部４６ａ，内周側起立部４６ｂを構成している。内周側起立部４６ｂは、ステッピングモータ２６に接続されたリードスクリュー２８が挿通される支持孔４８と、主軸３０が嵌入される軸支孔７３が形成されている。支持孔４８および軸支孔７３は、いずれも、精度良く加工されている。特に、支持孔４８の中心から軸支孔７３の中心までの中心間距離Ｄが所定の規定値に合致するように精度良く加工されている。
【００５６】
内周側起立部４６ｂの端面からは、略Ｌ字状の受け部７４も突出形成されている。受け部７４は、軸支孔７３に支持される主軸３０の内周側端面の位置を規制する。この受け部７４は、軸支孔７３の周縁近傍からラジアル方向内周側に突出した後、軸支孔７３の中心方向に略９０度に折り曲げられた略Ｌ字状の部材である。軸支孔７３に嵌入された主軸３０の内周側端面がこの受け部７４に当接することにより、主軸３０のラジアル方向の位置が規制される。
【００５７】
外周側起立部４６ａには、リードスクリュー２８の外周側端部が支持される支持孔４８と、主軸３０の外周側端部が支持される切欠部５０が形成されている。支持孔４８は、軸受４９を介してリードスクリュー２８の外周側端部を支持する孔で、軸受４９が嵌合される。切欠部５０は、一方向に開口した略Ｕ字形状の切欠である。この切欠部５０の幅は、主軸３０の直径とほぼ等しく、主軸３０の外周側端部が嵌入される。この支持孔４８および切欠部５０も精度良く加工されており、特に、支持孔４８の中心から切欠部５０の中心までの中心間距離Ｄが所定の規定値に合致するように精度良く加工されている。
【００５８】
外周側起立部４６ａには、さらに、主軸３０の位置調整部材が配置される調整部７５が形成されている。調整部７５は、少なくとも、互いに対向する第一面７６と第二面７８を備えており、当該第一面７６および第二面７８の間に主軸３０の外周側端部が位置している。第一面７６には、主軸３０に当接するスキュー調整ネジ８２が螺通されるネジ孔が形成されている。また、第一面７６には、主軸３０の位置微調整時に、当該モータ取付板３４をピックアップベース２０に仮止めするディセンタ調整支点ネジ８４が挿通される支点調整用孔も形成されている。この主軸３０の位置微調整の詳細については、後に詳説する。
【００５９】
第二面７８には、主軸３０を付勢する板バネ８０が配される。この板バネ８０は、内周側に向かって傾斜しており、主軸３０をラジアル方向および垂直方向に付勢している。ラジアル方向の付勢力を受けた主軸３０の内周側端面は、常時、受け部７４に当接することになり、主軸３０のラジアル方向位置が規制される。また、垂直方向の付勢力に抗して、当該主軸３０に当接するスキュー調整ネジ８２の締め込み量を調整することにより、主軸の高さを調整することができるようになっている。
【００６０】
モータ取付板３４の一部は、二段階に折り曲げられており、タンジェンシャル方向に延びる段差部５２が形成されている。この段差部５２には、当該モータ取付板３４をピックアップベース２０に取り付けるための取付ネジ７０が挿通される長孔５２ａが形成されている。また、この段差部５２の一部は、さらに、垂直方向に折り曲げられて、曲げ部８６を形成している。この曲げ部８６は、当該モータ取付板３４をピックアップベース２０に仮止めした際に、ピックアップベース２０に形成されたディセンタ調整用起立部９２に対向する位置に設けられている。この曲げ部８６には、ディセンタ調整ネジ８８が挿通される貫通孔が形成されている。また、曲げ部８６には、ディセンタ調整ネジ８８の軸方向の付勢力を発揮するコイルスプリング９０も設けられている。当該モータ取付板３４をピックアップベース２０に仮止めした際に、ディセンタ調整ネジ８８はピックアップベース２０に突出形成されたディセンタ調整用起立部９２に螺合し、コイルスプリング９０は曲げ部８６をタンジェンシャル方向に付勢する（図７参照）。
【００６１】
次に、本実施形態における光ディスク装置１０の部品組み付けの流れについて説明する。本実施形態でも、第一実施形態と同様に、まず、最初に、ピックアップベース２０に副軸３２およびスピンドルモータ１６を取り付ける。次に、光ＰＵ装置１８のガイド孔に主軸３０を挿通する。そして、ガイド孔に挿通された主軸３０の内周側端部をモータ取付板３４の内周側起立部４６ｂに形成された軸支孔に嵌入する。また、主軸３０の他端は、外周側起立部４６ａに形成された切欠部５０に嵌入する。リードスクリュー２８も、その両端を支持孔４８を介してモータ取付板に取り付けておく。つまり、光ＰＵ装置１８、主軸３０、リードスクリュー２８がモータ取付板３４に取り付けられた状態にする。
【００６２】
その状態で、主軸３０やリードスクリュー２８等とともにモータ取付板３４をピックアップベース２０に仮止めする。この仮止めは、第一面７６に形成された貫通孔に挿通されるディセンタ調整支点ネジ８４、および、段差部５２に形成された長孔に挿通される取付ネジ７０によりなされる。ディセンタ調整支点ネジ８４および取付ネジ７０は、ピックアップベースの所定位置に形成されたネジ孔にそれぞれ螺通される。ただし、このとき、ディセンタ調整支点ネジ８４および取付ネジ７０の締め込み量は緩めにしておき、モータ取付板３４等がある程度移動できるようにしておく。また、モータ取付板３４の曲げ部８６に挿通されたディセンタ調整ネジ８８を、ピックアップベース２０に突出形成されたディセンタ調整用起立部９２に螺合させておく。さらに、光ＰＵ装置１８の一端に形成された副軸用係合部３８を副軸３２に係合させておく。
【００６３】
モータ取付板３４の仮止め、換言すれば、当該モータ取付板３４に組み付けられた主軸３０の仮取り付けがなされれば、続いて、ティース４０を取り付ける。これは、第一実施形態と同様に、まず、ティース４０の突起部４２をリードスクリュー２８の螺旋溝に係合させ、その状態でティース４０を光ＰＵ装置１８の上面に固着する。
【００６４】
ティース４０の取り付けまで終われば、最後に、主軸３０の位置微調整を行う。この微調整は、モータ取付板３４の曲げ部８６に挿通されたディセンタ調整ネジ８８の締め込み量を調整することにより行われる。ディセンタ調整用起立部９２と対向する曲げ部８６は、両者の間に設けられたコイルスプリング９０によりタンジェンシャル方向に付勢される。この付勢力に抗して、ディセンタ調整ネジ８８の締め込み量を調整すると、モータ取付板３４、ひいては、当該モータ取付板３４に組み付けられた主軸３０およびリードスクリュー２８は、ディセンタ調整支点ネジ８４を回転中心として微小回転する。作業者は、光ＰＵ装置１８の対物レンズのラジアル方向移動軌跡Ｍの延長線にスピンドルモータ１６の回転中心Ｏを一致させるべくディセンタ調整ネジ８８の締め込み量を調整する。この一致の確認は、専用の位置出し治具を用いて行う。あるいは、実際に、光ＰＵ装置１８で光ディスクのデータを読出し、その際のジッタやエラー信号等に基づいて、光ＰＵ装置１８の移動軌跡Ｍの延長線がスピンドルモータ１６の回転中心Ｏを通るか否かを確認する。
【００６５】
ここで、この位置微調整の際、主軸３０およびリードスクリュー２８の相対位置関係は、内周側、外周側起立部４６ａ，４６ｂによって規制されている。したがって、モータ取付板３４全体が微小移動しても、主軸３０およびリードスクリュー２８の平行精度は高い状態のまま維持される。したがって、作業者は、主軸３０およびリードスクリュー２８の相対位置関係のズレを気にすることなく、簡易に、主軸３０の位置決めを行うことができる。
【００６６】
ディセンタ調整ネジ８８の調整により、主軸３０が最適な位置になれば、その時点で、ディセンタ調整支点ネジ８４および取付ネジ７０を完全に締め込み、モータ取付板３４の位置を固定する。
【００６７】
以上の説明から明らかなように、本実施形態においても、主軸３０とリードスクリュー２８とを高い精度で平行に簡易に取り付けることができる。また、両者の平行精度を維持したまま、主軸３０の微小な位置決めも簡易に行える。その結果、光ディスク装置１０の組付作業全体を簡易化、高精度化することができ、結果として、コスト削減、データ記録再生品質向上を図ることができる。
【図面の簡単な説明】
【００６８】
【図１】本発明の実施形態で光ディスク装置の上面図である。
【図２】光ディスク装置の要部の底面図である。
【図３】図２におけるＡ−Ａ断面図である。
【図４Ａ】モータ取付板周辺の拡大上面図である。
【図４Ｂ】モータ取付板周辺の拡大側面図である。
【図４Ｃ】モータ取付板周辺の拡大正面図である。
【図５Ａ】ピックアップベースへの部品組み付けの過程を示す図である。
【図５Ｂ】ピックアップベースへの部品組み付けの過程を示す図である。
【図５Ｃ】ピックアップベースへの部品組み付けの過程を示す図である。
【図６Ａ】第二実施形態におけるモータ取付板周辺の拡大上面図である。
【図６Ｂ】第二実施形態におけるモータ取付板周辺の拡大側面図である。
【図６Ｃ】第二実施形態におけるモータ取付板周辺の拡大正面図である。
【図７】第三実施形態である光ディスク装置の要部の底面図である。
【図８Ａ】第三実施形態におけるモータ取付板周辺の拡大上面図である。
【図８Ｂ】第三実施形態におけるモータ取付板周辺の拡大側面図である。
【図８Ｃ】第三実施形態におけるモータ取付板周辺の拡大正面図である。
【符号の説明】
【００６９】
１０  光ディスク装置、１６  スピンドルモータ、１８  光ＰＵ装置、２０  ピックアップベース、２６  ステッピングモータ、２８  リードスクリュー、３０  主軸、３２  副軸、３４  モータ取付板、４０  ティース、４２  突起部、４６ａ  外周側起立部、４６ｂ  内周側起立部、４８  支持孔、５０  切欠部、７２  当接部、８４  ディセンタ調整支点ネジ、８６  曲げ部、９２  ディセンタ調整用起立部。
【図１】
2007035141.tif 000003
【図２】
2007035141.tif 000004
【図３】
2007035141.tif 000005
【図４Ａ】
2007035141.tif 000006
【図４Ｂ】
2007035141.tif 000007
【図４Ｃ】
2007035141.tif 000008
【図５Ａ】
2007035141.tif 000009
【図５Ｂ】
2007035141.tif 000010
【図５Ｃ】
2007035141.tif 000011
【図６Ａ】
2007035141.tif 000012
【図６Ｂ】
2007035141.tif 000013
【図６Ｃ】
2007035141.tif 000014
【図７】
2007035141.tif 000015
【図８Ａ】
2007035141.tif 000016
【図８Ｂ】
2007035141.tif 000017
【図８Ｃ】
2007035141.tif 000018